(57)【要約】  蓄電池制御装置（１）は、負荷（６）で消費される需要電力の時間推移であり所定期間における時間推移である需要推移を予測する需要予測部（１１）と、分散電源（３）の発電電力の時間推移であり所定期間における時間推移である発電推移を予測する発電予測部（１２）と、目標充電レートを決定するレート決定部（１４）とを備え、レート決定部（１４）は、需要予測部（１１）で予測された需要推移と、発電予測部（１２）で予測された発電推移とに基づいて、所定期間のうち、発電電力から需要電力を除いた余剰電力がピークである時刻を含む期間を充電動作が行われる充電期間として設定し、充電期間に蓄電池（４１）によって充電される電力量として予定される充電予定電力量と、充電期間の時間長とに基づいて、充電期間に亘って蓄電池（４１）を充電させるための充電レートを充電期間における目標充電レートとして決定する。
2016185671.tif 000002
【特許請求の範囲】
【請求項１】
電力系統と分散電源と蓄電装置とのそれぞれから負荷へ電力を供給する給電動作、前記分散電源の発電電力で前記蓄電装置が備える蓄電池を充電させる充電動作、および、前記分散電源の発電電力のうち前記蓄電池で充電されず前記負荷で消費されない電力を前記電力系統に逆潮流させる逆潮流動作を行う配電システムに用いられる蓄電池制御装置であって、
前記負荷で消費される需要電力の時間推移であり所定期間における時間推移である需要推移を予測する需要予測部と、
前記分散電源の発電電力の時間推移であり前記所定期間における時間推移である発電推移を予測する発電予測部と、
目標充電レートに前記蓄電池の充電レートを一致または近づけるための前記目標充電レートを決定するレート決定部とを備え、
前記レート決定部は、
前記需要予測部で予測された前記需要推移と、前記発電予測部で予測された前記発電推移とに基づいて、前記所定期間のうち、前記発電電力から前記需要電力を除いた余剰電力がピークである時刻を含む期間を前記充電動作が行われる充電期間として設定し、
前記充電期間に前記蓄電池によって充電される電力量として予定される充電予定電力量と、前記充電期間の時間長とに基づいて、前記充電期間に亘って前記蓄電池を充電させるための充電レートを前記充電期間における前記目標充電レートとして決定する
蓄電池制御装置。
【請求項２】
前記蓄電池制御装置は、さらに、前記充電期間に前記蓄電池により充電可能な電力量であり前記充電期間の開始タイミングにおける前記蓄電池の充電状態に依存する電力量である充電可能量を予測する蓄電状況予測部を備え、
前記レート決定部は、前記充電可能量を前記充電予定電力量として設定する
請求項１に記載の蓄電池制御装置。
【請求項３】
前記レート決定部は、前記余剰電力を前記充電期間に亘って積算した余剰電力量を前記充電予定電力量として設定する
請求項１に記載の蓄電池制御装置。
【請求項４】
前記レート決定部は、前記目標充電レートを前記充電期間に亘って一定値に決定する
請求項１〜３のいずれか１項に記載の蓄電池制御装置。
【請求項５】
前記レート決定部は、前記充電予定電力量を前記充電期間の時間長で除することで、前記目標充電レートを決定する
請求項４に記載の蓄電池制御装置。
【請求項６】
前記レート決定部は、前記発電電力が前記需要電力を上回る電力余剰期間を前記充電期間として設定する
請求項１〜５のいずれか１項に記載の蓄電池制御装置。
【請求項７】
前記レート決定部は、前記発電電力が前記需要電力を上回る電力余剰期間のうち、前記余剰電力が閾値を上回る期間を前記充電期間として設定する
請求項１〜５のいずれか１項に記載の蓄電池制御装置。
【請求項８】
前記レート決定部は、前記余剰電力を前記電力系統に逆潮流させた場合に逆潮流する電力が上限目標値を上回る期間を前記充電期間として設定する
請求項７に記載の蓄電池制御装置。
【請求項９】
蓄電装置が備える蓄電池を放電させる放電動作、および、電力系統と前記蓄電装置とのそれぞれから負荷へ電力を供給する給電動作を行う配電システムに用いられる蓄電池制御装置であって、
前記負荷で消費される需要電力の時間推移であり所定期間における時間推移である需要推移を予測する需要予測部と、
前記放電動作が行われる放電期間に前記蓄電池により放電可能な電力量であり前記放電期間の開始タイミングにおける前記蓄電池の充電状態に依存する電力量である放電可能量を予測する蓄電状況予測部と、
目標放電レートに前記蓄電池の放電レートを一致または近づけるための前記目標放電レートを決定するレート決定部とを備え、
前記レート決定部は、
前記需要予測部で予測された前記需要推移に基づいて、前記所定期間のうち、前記蓄電装置から前記負荷へ電力が供給されないと仮定された場合に前記電力系統から前記負荷へ供給される電力がピークである時刻を含む期間を前記放電期間として設定し、
前記放電期間に対して前記蓄電状況予測部で予測される前記放電可能量と、前記放電期間の時間長とに基づいて、前記放電期間に亘って前記蓄電池を放電させるための放電レートを前記放電期間における前記目標放電レートとして決定する
蓄電池制御装置。
【請求項１０】
前記レート決定部は、前記目標放電レートを前記放電期間に亘って一定値に決定する
請求項９に記載の蓄電池制御装置。
【請求項１１】
前記レート決定部は、前記放電可能量を前記放電期間の時間長で除することで、前記目標放電レートを決定する
請求項１０に記載の蓄電池制御装置。
【請求項１２】
前記給電動作では、さらに、分散電源から前記負荷へ電力を供給し、
前記蓄電池制御装置は、さらに、前記分散電源の発電電力の時間推移であり前記所定期間における時間推移である発電推移を予測する発電予測部を備え、
前記レート決定部は、前記需要予測部で予測された前記需要推移と、前記発電予測部で予測された前記発電推移とに基づいて、前記発電電力が前記需要電力を下回る電力不足期間内に前記放電期間を設定する
請求項９〜１１のいずれか１項に記載の蓄電池制御装置。
【請求項１３】
前記レート決定部は、前記蓄電装置から前記負荷へ電力が供給されないと仮定された場合に前記電力系統から前記負荷へ供給される電力が上限目標値を上回る期間を前記放電期間として設定する
請求項９〜１２のいずれか１項に記載の蓄電池制御装置。
【請求項１４】
コンピュータを、請求項１〜１３のいずれか１項に記載の蓄電池制御装置として機能させる
プログラム。
【発明の詳細な説明】
【技術分野】
【０００１】
本発明は、負荷へ電力を供給する給電動作を行う配電システムに用いられる蓄電池制御装置等に関する。
【背景技術】
【０００２】
従来、商用電源と蓄電池とが併存するシステムにおいて、蓄電池を定電流充電する場合に、所定時刻に充電が終了するように充電レートを設定する構成が開示されている（例えば、特許文献１参照）。特許文献１の蓄電池は、バックアップの役割と、ピークシフトの役割とを持つ。
【先行技術文献】
【特許文献】
【０００３】
【特許文献１】特開２０１３−１７６１９０号公報
【発明の概要】
【発明が解決しようとする課題】
【０００４】
しかしながら、蓄電池に対して充電または放電などの制御が適切な期間に亘って行われなければ、蓄電池はピークシフト（ピーク抑制）の役割を果たさない。そして、蓄電池がピークシフト（ピーク抑制）の役割を果たさないことで、電力系統（商用電源）の安定稼働に弊害が発生する可能性がある。【０００５】
本発明は、上記事由に鑑みてなされたものであり、蓄電池に対して充電または放電などの制御を適切な期間に亘って行うことができる蓄電池制御装置等を提供することを目的とする。
【課題を解決するための手段】
【０００６】
本発明の一態様に係る蓄電池制御装置は、電力系統と分散電源と蓄電装置とのそれぞれから負荷へ電力を供給する給電動作、前記分散電源の発電電力で前記蓄電装置が備える蓄電池を充電させる充電動作、および、前記分散電源の発電電力のうち前記蓄電池で充電されず前記負荷で消費されない電力を前記電力系統に逆潮流させる逆潮流動作を行う配電システムに用いられる蓄電池制御装置であって、前記負荷で消費される需要電力の時間推移であり所定期間における時間推移である需要推移を予測する需要予測部と、前記分散電源の発電電力の時間推移であり前記所定期間における時間推移である発電推移を予測する発電予測部と、目標充電レートに前記蓄電池の充電レートを一致または近づけるための前記目標充電レートを決定するレート決定部とを備え、前記レート決定部は、前記需要予測部で予測された前記需要推移と、前記発電予測部で予測された前記発電推移とに基づいて、前記所定期間のうち、前記発電電力から前記需要電力を除いた余剰電力がピークである時刻を含む期間を前記充電動作が行われる充電期間として設定し、前記充電期間に前記蓄電池によって充電される電力量として予定される充電予定電力量と、前記充電期間の時間長とに基づいて、前記充電期間に亘って前記蓄電池を充電させるための充電レートを前記充電期間における前記目標充電レートとして決定する。【０００７】
本発明の一態様に係る蓄電池制御装置は、蓄電装置が備える蓄電池を放電させる放電動作、および、電力系統と前記蓄電装置とのそれぞれから負荷へ電力を供給する給電動作を行う配電システムに用いられる蓄電池制御装置であって、前記負荷で消費される需要電力の時間推移であり所定期間における時間推移である需要推移を予測する需要予測部と、前記放電動作が行われる放電期間に前記蓄電池により放電可能な電力量であり前記放電期間の開始タイミングにおける前記蓄電池の充電状態に依存する電力量である放電可能量を予測する蓄電状況予測部と、目標放電レートに前記蓄電池の放電レートを一致または近づけるための前記目標放電レートを決定するレート決定部とを備え、前記レート決定部は、前記需要予測部で予測された前記需要推移に基づいて、前記所定期間のうち、前記蓄電装置から前記負荷へ電力が供給されないと仮定された場合に前記電力系統から前記負荷へ供給される電力がピークである時刻を含む期間を前記放電期間として設定し、前記放電期間に対して前記蓄電状況予測部で予測される前記放電可能量と、前記放電期間の時間長とに基づいて、前記放電期間に亘って前記蓄電池を放電させるための放電レートを前記放電期間における前記目標放電レートとして決定する。
【発明の効果】
【０００８】
本発明の一態様に係る蓄電池制御装置等によって、蓄電池に対して充電または放電などの制御が適切な期間に亘って行われる。
【図面の簡単な説明】
【０００９】
【図１】図１は、実施の形態１の配電システムの構成を示すブロック図である。
【図２】図２は、実施の形態１の需要電力および発電電力の予測結果を示す模式図である。
【図３Ａ】図３Ａは、実施の形態１とは異なる蓄電池制御を示す模式図である。
【図３Ｂ】図３Ｂは、実施の形態１とは異なる等価需要を示す模式図である。
【図４Ａ】図４Ａは、実施の形態１の蓄電池制御を示す模式図である。
【図４Ｂ】図４Ｂは、実施の形態１の等価需要を示す模式図である。
【図５】図５は、実施の形態１の充電期間の決定処理を示す模式図である。
【図６】図６は、実施の形態２の配電システムの構成を示すブロック図である。
【図７】図７は、実施の形態２の充電制御を示す模式図である。
【図８】図８は、実施の形態２の別の充電制御を示す模式図である。
【発明を実施するための形態】
【００１０】
以下、本発明の実施の形態を図面に基づいて説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１１】
また、電力量は、通常、所定期間における電力の積算値を意味し、エネルギーに対応する。そして、単位時間あたりの電力量が、電力（パワー）に対応する。電力（パワー）と電力量（エネルギー）とは互いに対応するため、ここでは、電力が、電力量（エネルギー）の意味で用いられる場合があり、電力量が、電力（パワー）の意味で用いられる場合がある。そして、電力の量を電力量と呼ぶ場合がある。
【００１２】
また、電流、電力および電力量は、それらの値を意味する場合がある。また、充放電は、充電および放電の少なくとも一方に対応する。また、ピークは、所定期間における最大でもよいし、極大でもよい。
【００１３】
（実施の形態１）
図１は、配電システムの全体構成を示す。配電システムは、蓄電池制御装置１、分電盤２、太陽光発電装置３、蓄電装置４、および、電力センサ９１、９２を備え、負荷６へ電力を供給する。太陽光発電装置３は、太陽電池３１、および、パワーコンディショナ３２を備える分散電源である。蓄電装置４は、蓄電池４１、および、パワーコンディショナ４２を備える。また、配電システムの分散電源は、太陽光発電装置３に限定されず、例えば風力発電装置などでもよい。
【００１４】
なお、本実施の形態では、戸建ての住戸に配電システムが適用されているが、集合住宅または事業所などの建物に配電システムが適用されてもよい。
【００１５】
配電システムは、負荷６に電力を供給する電源として、太陽光発電装置３と、蓄電装置４と、商用電源８（電力系統７）とを用いる。電力系統７は、図１に示されているような建物に供給するためのシステムであり、電力会社等によって運用される。商用電源８は、例えば、電力会社等によって運用される発電所である。電力系統７は、商用電源８を含んでもよい。また、電力系統７は、電力網を意味する場合もある。
【００１６】
分電盤２には、商用電源８から電力系統７を介して交流電力（商用電力）が供給される。さらに、分電盤２には、太陽光発電装置３から交流電力（発電電力）を供給される。さらに、分電盤２には、蓄電装置４から交流電力（放電電力）が供給される。
【００１７】
また、分電盤２の盤内には、主幹ブレーカ、複数の分岐ブレーカ、および、開閉器等が内蔵されている。また、分電盤２の複数の分岐ブレーカは、複数の分岐回路に対して設けられている。分電盤２は、複数の分岐回路を介して複数の負荷６に交流電力を供給する。
【００１８】
なお、図１の複数の負荷６は、複数の分岐回路に接続された照明装置、空調装置、および、情報機器などの電気機器である。
【００１９】
太陽電池３１は、太陽光を受けて発電する。パワーコンディショナ３２は、太陽電池３１が発電することで得られた直流電力を交流電力に変換し、交流電力を太陽光発電装置３の発電電力として出力する。さらに、パワーコンディショナ３２は、電力系統７と系統連系を行うため、パワーコンディショナ３２が出力する交流電力（発電電力）の周波数および出力電圧を調節する。
【００２０】
蓄電池４１は、パワーコンディショナ４２を介して分電盤２に接続している。パワーコンディショナ４２は、蓄電池４１の充電および放電を行う。具体的には、パワーコンディショナ４２は、分電盤２から供給される交流電力を直流電力に変換して、直流電力を蓄電池４１に供給することで、蓄電池４１を充電させる。また、パワーコンディショナ４２は、蓄電池４１を放電させ、蓄電池４１から供給される直流電力を交流電力に変換し、交流電力を分電盤２へ供給する。
【００２１】
さらに、パワーコンディショナ４２は、電力系統７と系統連系を行うため、パワーコンディショナ４２が出力する交流電力（放電電力）の周波数および出力電圧を調節する。
【００２２】
太陽光発電装置３の発電電力は、需要電力、充電電力および逆潮流電力のうち、一部または全部に用いられる。蓄電装置４（蓄電池４１）の放電電力は、需要電力に用いられる。需要電力は、負荷６の全体で消費される総電力（複数の負荷６で消費される電力の合計）である。充電電力は、蓄電池４１によって充電される電力である。逆潮流電力は、電力系統７へ逆潮流する電力である。
【００２３】
配電システムは、電力系統７と太陽光発電装置３と蓄電装置４とのそれぞれから負荷６へ電力を供給する給電動作を行う。また、配電システムは、太陽光発電装置３の発電電力で蓄電池４１を充電させる充電動作（蓄電動作）、および、太陽光発電装置３の発電電力のうち蓄電池４１で充電されず負荷６で消費されない電力を電力系統７に逆潮流させる逆潮流動作を行う。充電動作では、さらに、商用電力で蓄電池４１を充電させてもよい。
【００２４】
なお、蓄電池４１の充電について、配電システムは、太陽電池３１によって生成された直流電力を交流電力に変換することなく、太陽電池３１によって生成された直流電力を充電用の直流電力に直接変換して、蓄電池４１を充電させてもよい。例えば、配電システムは、太陽電池３１によって生成された直流電力の電圧を充電用の電圧に変換して、蓄電池４１を充電させてもよい。
【００２５】
電力センサ９１は、太陽光発電装置３から分電盤２に供給される電流（発電電流）を測定し、発電電流の測定値から所定の基準で変換された発電電力を示す発電電力データを蓄電池制御装置１へ定期的に（サンプリング周期で）出力する。発電電力データは、例えば、発電電流の測定値に予め決められた発電電圧を乗算することで得られる発電電力を示す。電力センサ９１は、パワーコンディショナ３２内に設けられてもよい。
【００２６】
電力センサ９２は、分電盤２から負荷６の全体へ供給される総電流（複数の負荷６へ供給される電流の合計：負荷電流）を測定し、負荷電流の測定値から所定の基準で変換された需要電力を示す需要電力データを蓄電池制御装置１へ定期的に（サンプリング周期で）出力する。需要電力データは、例えば、負荷電流の測定値に予め決められた負荷電圧を乗算することで得られる需要電力を示す。
【００２７】
蓄電池制御装置１は、需要予測部１１、発電予測部１２、蓄電状況予測部１３、レート決定部１４、データ取得部１５、記憶部１６、および、通信部１７を備える。そして、蓄電池制御装置１は、パワーコンディショナ４２が充放電させる蓄電池４１の目標充電レートおよび目標放電レートを決定することで、パワーコンディショナ４２によって蓄電池４１に対して行われる充放電動作を制御する。
【００２８】
すなわち、蓄電池制御装置１は、パワーコンディショナ４２を介して、蓄電池４１により充電される電力に対応する充電レート、および、蓄電池４１により放電される電力に対応する放電レートを目標充電レートおよび目標放電レートに従って制御する。そして、蓄電池制御装置１は、充電レートおよび放電レートを制御することで、電力系統７から受電する商用電力、および、電力系統７へ逆潮流する逆潮流電力を調整する。
【００２９】
なお、本実施の形態の配電システムにおいて、蓄電池制御装置１は、太陽光発電装置３の発電電力、および、蓄電池４１の放電電力のうち、太陽光発電装置３の発電電力のみを電力系統７へ逆潮流させてもよい。
【００３０】
また、蓄電池制御装置１は、需要予測部１１、発電予測部１２、蓄電状況予測部１３、レート決定部１４、データ取得部１５、記憶部１６および通信部１７のうち一部のみを備えてもよい。その他の構成要素は、蓄電池制御装置１とは別の装置に含まれてもよい。例えば、蓄電池制御装置１は、これらのうち、需要予測部１１、発電予測部１２およびレート決定部１４のみを備えてもよいし、需要予測部１１、蓄電状況予測部１３およびレート決定部１４のみを備えてもよい。
【００３１】
データ取得部１５は、電力センサ９１から発電電力データを取得し、電力センサ９２から需要電力データを取得する取得器である。例えば、データ取得部１５は、発電電力データおよび需要電力データを日時データに対応付けて記憶部１６に格納する。発電電力データには、測定時の天気情報が対応付けられていてもよい。
【００３２】
記憶部１６には、発電電力および需要電力の履歴が格納される。具体的には、記憶部１６には、過去の一定期間（例えば、過去の１週間、１ヶ月または３ヶ月など）に亘る発電電力データおよび需要電力データが格納され、過去の一定期間よりも前の古いデータは順次削除される。
【００３３】
需要予測部１１は、毎日の定時に、記憶部１６の需要電力の履歴に基づいて、蓄電池４１が制御される日（対象日）における需要電力の時間推移を予測する予測器である。この需要電力の時間推移は、負荷６が消費する電力の１日における時間推移である。ここでは、需要電力の時間推移を需要推移とも呼ぶ。
【００３４】
需要予測部１１は、例えば、需要電力の履歴に基づいて、各時刻における需要電力の平均を求めることで、対象日における需要電力の時間推移を予測する。さらに、需要予測部１１は、全ての需要電力データのうち、対象日の曜日と同じ曜日の需要電力データのみを用いて、需要電力の時間推移を予測してもよい。
【００３５】
発電予測部１２は、毎日の定時に、記憶部１６の発電電力の履歴に基づいて、対象日における発電電力の時間推移を予測する予測器である。ここでは、発電電力の時間推移を発電推移とも呼ぶ。発電予測部１２は、全ての発電電力データのうち、対象日の天気予報に類似した過去の天気情報に対応付けられた発電電力データのみを用いて、対象日における発電電力の時間推移を予測してもよい。また、発電予測部１２は、各時刻における発電電力の平均を求めることで、対象日における発電電力の時間推移を予測してもよい。
【００３６】
なお、需要予測部１１および発電予測部１２のそれぞれは、蓄電池４１が制御される対象日の前日の夜、または、対象日の朝に、予測を行ってもよい。
【００３７】
図２は、需要予測部１１によって予測された需要推移、および、発電予測部１２によって予測された発電推移を示す。図２において、１日の需要電力Ｘ１の時間推移が需要予測部１１によって予測された需要推移であり、１日の発電電力Ｘ２の時間推移が発電予測部１２によって予測された発電推移である。
【００３８】
需要電力Ｘ１は、需要者が活動を始める朝に増加する。その後、昼間において、負荷６の使用状態に応じて、需要電力Ｘ１は変動する。そして、夕食の支度、あるいは、帰宅した需要者が負荷６を使用することなどによって、夕方において、需要電力Ｘ１は再び増加する。その後、需要電力Ｘ１は減少する。
【００３９】
発電電力Ｘ２は、日射量が十分に確保される天候の場合、パワーコンディショナ３２の運転開始時刻である時刻ｔ１（日の出時刻付近）から増加する。そして、昼間において、発電電力Ｘ２は、南中時刻である時刻ｔ２付近で最大値になった後に減少する。そして、発電電力Ｘ２は、パワーコンディショナ３２の運転停止時刻である時刻ｔ３（日没時刻付近）以降において、０となる。
【００４０】
図３Ａは、需要電力Ｘ１および発電電力Ｘ２に対して行われる蓄電池制御を示し、本実施の形態とは異なる蓄電池制御を示す。なお、蓄電池４１の残容量で放電可能な電力量を放電可能量と呼ぶ場合がある。また、蓄電池４１の最大電池容量から残容量を除いた（減算した）部分で充電可能な電力量を充電可能量と呼ぶ場合がある。
【００４１】
なお、最大電池容量は、蓄電池４１の劣化を考慮した蓄電池４１の電池容量である。最大電池容量は、蓄電池４１の使用が開始された初期状態では定格容量である。最大電池容量は、その後、蓄電池４１の劣化度合いに応じて定格容量から低下する。また、放電可能量は、その他の条件（蓄電池４１の充電状態とは別の条件）により、さらに制限されてもよい。同様に、充電可能量は、その他の条件（蓄電池４１の充電状態とは別の条件）により、さらに制限されてもよい。
【００４２】
以下、具体的な動作例で説明する。ここでは、深夜において、蓄電池４１の残容量が少なく、放電可能量が「０」である。朝の時刻ｔ１の後、発電電力Ｘ２が供給され、発電電力Ｘ２は、需要電力Ｘ１に優先的に用いられる（図３Ａ中の領域Ａ１０２）。しかしながら、発電電力Ｘ２が需要電力Ｘ１に到達する時刻ｔ１１まで、需要電力Ｘ１から発電電力Ｘ２を減算した残りは不足電力であり、この不足電力は商用電力で賄われる（図３Ａ中の領域Ａ１０１）。
【００４３】
そして、発電電力Ｘ２が需要電力Ｘ１以上である時刻ｔ１１から時刻ｔ１３まで、需要電力Ｘ１は発電電力Ｘ２のみで賄われる。時刻ｔ１１から時刻ｔ１３までにおいて、発電電力Ｘ２から需要電力Ｘ１を減算した残りは余剰電力であり、余剰電力は蓄電池４１の充電電力に優先的に用いられる（図３Ａ中の領域Ａ１０３）。そして、時刻ｔ１２において、蓄電池４１が満充電状態に到達する。時刻ｔ１２の後、余剰電力は電力系統７へ逆潮流されて、電力会社へ売電される（図３Ａ中の領域Ａ１０４）。
【００４４】
そして、時刻ｔ１３の後、発電電力Ｘ２が需要電力Ｘ１を下回る。時刻ｔ１３の後において、需要電力Ｘ１から発電電力Ｘ２を減算した残りは不足電力であり、不足電力は蓄電池４１の放電電力で賄われる（図３Ａ中の領域Ａ１０５）。そして、時刻ｔ１４において、蓄電池４１の放電可能量が「０」に低下し、その後、不足電力は商用電力で賄われる（図３Ａ中の領域Ａ１０６）。
【００４５】
図３Ｂは、図３Ａの蓄電池制御が行われた場合の等価需要Ｙ１００を示す。等価需要Ｙ１００は、電力系統７から建物へ流入する電力（買電電力）、および、電力系統７へ建物から流出する電力（売電電力）に対応する。また、図３Ｂに示された等価需要Ｙ１００は、本実施の形態とは異なる蓄電池制御が行われた場合の等価需要である。
【００４６】
図３Ｂのように、深夜から、発電電力Ｘ２が需要電力Ｘ１に到達する時刻ｔ１１まで、商用電力が買電される。そして、時刻ｔ１１から、蓄電池４１が満充電状態に到達する時刻ｔ１２まで、充電が行われるため、等価需要Ｙ１００が「０」である。そして、時刻ｔ１２から、発電電力Ｘ２が需要電力Ｘ１まで低下する時刻ｔ１３まで、発電電力Ｘ２で売電が行われる。
【００４７】
そして、時刻ｔ１３から、蓄電池４１の放電可能量が「０」に低下する時刻ｔ１４まで、放電が行われるため、等価需要Ｙ１００が「０」である。そして、時刻ｔ１４の後、商用電力が買電される。
【００４８】
図３Ｂに示す等価需要Ｙ１００では、売電電力（逆潮流電力）のピークが大きくなっており、電力系統７が不安定な状態になる可能性がある。電力系統７が不安定な状態は、商用電源８から電力系統７を介して供給される商用電力の系統電圧および周波数の変動幅が大きい状態であり、商用電力の需給バランスが崩れた状態である。
【００４９】
そこで、本実施の形態では、図４Ａに示す蓄電池制御を行う。
【００５０】
上述した動作例と同様に、ここでは、深夜において、蓄電池４１の残容量が少なく、放電可能量が「０」である。朝の時刻ｔ１の後、発電電力Ｘ２が供給され、発電電力Ｘ２は、需要電力Ｘ１に優先的に用いられる（図４Ａ中の領域Ａ２）。しかしながら、発電電力Ｘ２が需要電力Ｘ１に到達する時刻ｔ１１まで、需要電力Ｘ１から発電電力Ｘ２を減算した残りは不足電力であり、この不足電力は商用電力で賄われる（図４Ａ中の領域Ａ１）。
【００５１】
そして、発電電力Ｘ２が需要電力Ｘ１以上である時刻ｔ１１から時刻ｔ１３まで、需要電力Ｘ１は発電電力Ｘ２のみで賄われる。時刻ｔ１１から時刻ｔ１３までにおいて、発電電力Ｘ２から需要電力Ｘ１を減算した残りである余剰電力が発生している。余剰電力が発生している期間を電力余剰期間Ｔ１と呼ぶ。そして、レート決定部１４は、電力余剰期間Ｔ１内に、逆潮流電力が抑制されるように蓄電池４１を充電させるための充電期間Ｔ１１を設定する。
【００５２】
本実施の形態において、レート決定部１４は、充電期間Ｔ１１を電力余剰期間Ｔ１と同じ期間に設定する（Ｔ１＝Ｔ１１）。充電期間Ｔ１１には、余剰電力のピークが含まれる。すなわち、充電期間Ｔ１１は、余剰電力の全量を電力系統７に逆潮流させた場合に逆潮流する電力がピークである時刻を含む。
【００５３】
レート決定部１４は、目標充電レートまたは目標放電レートを決定する決定器である。目標充電レートは、蓄電池４１の充電レートを一致または近づける目標の充電レートである。目標放電レートは、蓄電池４１の放電レートを一致または近づける目標の放電レートである。例えば、レート決定部１４は、充電期間Ｔ１１を設定し、設定された充電期間Ｔ１１等に基づいて、目標充電レートを決定する。充電期間Ｔ１１は、電力余剰期間Ｔ１でもよいし、電力余剰期間Ｔ１の一部でもよい。
【００５４】
なお、レート決定部１４は、例えば、需要電力Ｘ１および発電電力Ｘ２のそれぞれの単位時間あたりの平均値を互いに比較することで、単位時間毎に余剰電力が発生するか否かを判定し、電力余剰期間Ｔ１を決定する。この単位時間が短い時間長に設定された場合、需要電力Ｘ１または発電電力Ｘ２の瞬時変動によって、電力余剰期間Ｔ１が細かい複数の期間に設定される場合がある。
【００５５】
そこで、単位時間は、例えば１時間程度に設定されてもよい。これにより、電力余剰期間Ｔ１が需要電力Ｘ１または発電電力Ｘ２の瞬時変動によって不必要に細かく分割されることが抑制される。
【００５６】
蓄電状況予測部１３は、充電可能量および放電可能量を予測する予測器である。例えば、充電可能量は、充電期間Ｔ１１に蓄電池４１により充電可能な電力量であり、充電期間Ｔ１１の開始時刻（開始タイミング）である時刻ｔ１１における蓄電池４１の充電状態に依存する電力量である。また、例えば、放電可能量は、放電期間Ｔ２１に蓄電池４１により放電可能な電力量であり、放電期間Ｔ２１の開始時刻（開始タイミング）である時刻ｔ１５における蓄電池４１の充電状態に依存する電力量である。
【００５７】
蓄電池４１の充電状態は、蓄電池４１の残容量でもよいし、蓄電池４１の最大電池容量に対する残容量の割合でもよい。蓄電池４１の最大電池容量に対する残容量の割合は、ＳＯＣとも呼ばれる。
【００５８】
充電期間Ｔ１１に蓄電池４１によって充電される電力量として予定される充電予定電力量は、蓄電状況予測部１３で予測される充電可能量でもよい。なお、充電予定電力量は、充電期間Ｔ１１における余剰電力量の一部または全部でもよい。
【００５９】
蓄電状況予測部１３は、蓄電池４１の最大電池容量などのデータを予め保持している。また、蓄電状況予測部１３は、パワーコンディショナ４２から通信部１７を介して現在の蓄電池４１の残容量のデータを取得する。そして、蓄電状況予測部１３は、蓄電池４１の残容量、蓄電池４１の最大電池容量、需要電力Ｘ１の予測結果、および、発電電力Ｘ２の予測結果などに基づいて、充電期間Ｔ１１の開始時刻（時刻ｔ１１）における充電状態に依存する充電可能量を予測する。
【００６０】
通信部１７は、通信を行う通信器である。具体的には、通信部１７は、パワーコンディショナ４２と有線または無線で通信を行う。また、通信部１７は、パワーコンディショナ４２から現在の蓄電池４１の残容量のデータなどを取得する。
【００６１】
例えば、レート決定部１４は、充電期間Ｔ１１において蓄電池４１の充電電力が平均化されるように、充電期間Ｔ１１における目標充電レートを決定することで、逆潮流電力のピークを抑制する。
【００６２】
具体的には、レート決定部１４は、充電期間Ｔ１１の開始時刻（時刻ｔ１１）における充電状態に基づく充電可能量を充電期間Ｔ１１の時間長で除することで、充電期間Ｔ１１における目標充電レートを導出する。これにより、レート決定部１４は、充電期間Ｔ１１の全期間において一定値の目標充電レートを導出する。
【００６３】
そして、現在時刻が充電期間Ｔ１１の開始時刻（時刻ｔ１１）に達すると、レート決定部１４は、導出した目標充電レートのデータをパワーコンディショナ４２へ通信部１７を介して送信する。具体的には、レート決定部１４は、充電期間Ｔ１１の開始時刻（時刻ｔ１１）から充電期間Ｔ１１の終了時刻（時刻ｔ１３）まで、導出した目標充電レートのデータをパワーコンディショナ４２へ通信部１７を介して定期的に送信する。
【００６４】
すなわち、レート決定部１４は、時刻ｔ１１から時刻ｔ１３までの間、パワーコンディショナ４２に対して一定値の目標充電レートを指示する。パワーコンディショナ４２は、レート決定部１４から指示された目標充電レートに基づいて蓄電池４１を充電させる。
【００６５】
ただし、充電期間Ｔ１１の最初の期間（時刻ｔ１１〜時刻ｔ１１１）、および、充電期間Ｔ１１の最後の期間（時刻ｔ１３１〜時刻ｔ１３）において、余剰電力が小さいため、蓄電池４１を充電させる充電レートは、指示された目標充電レートよりも実質的に低くなる。また、時刻ｔ１１１〜時刻ｔ１３１の期間では、余剰電力が十分に大きいので、蓄電池４１を充電させる充電レートは、指示された一定の目標充電レートになる。
【００６６】
そして、蓄電池４１は、充電期間Ｔ１１における充電によって、充電期間Ｔ１１の終了時刻（時刻ｔ１３）において、ほぼ満充電状態になる。
【００６７】
すなわち、充電期間Ｔ１１のほぼ全期間において、余剰電力は、蓄電池４１により充電される充電電力（図４Ａ中の領域Ａ３）と、売電される逆潮流電力（図４Ａ中の領域Ａ４）との両方に用いられる。そして、電力余剰期間Ｔ１の全期間に亘って、レート決定部１４が決定した目標充電レートに従って充電が行われる。したがって、逆潮流電力は電力余剰期間Ｔ１の全期間に亘って抑制される。
【００６８】
図４Ｂは、図４Ａの蓄電池制御を行った場合の等価需要Ｙ１を示す。等価需要Ｙ１では、売電電力（逆潮流電力）のピークが等価需要Ｙ１００よりも小さくなり、売電電力のピークが抑制される。特に、図４Ｂでは、売電電力のピークが、上限目標値Ｋ１以下に抑制されている。
【００６９】
この上限目標値Ｋ１は、電力系統７が不安定にならないように決められている指標であり、売電電力のピークが大きくなりすぎることを抑制するための目安を示す。例えば、上限目標値Ｋ１は、電力会社またはアグリゲータなどから送信されたデマンドレスポンス信号（以降、ＤＲ信号と呼ぶ）によって、随時指示される値である。あるいは、上限目標値Ｋ１は、電力会社またはアグリゲータなどによって予め決められた一定値であってもよい。
【００７０】
上述のように本実施の形態における蓄電池制御装置１は、太陽光発電装置３の余剰電力を逆潮流させる場合に、売電電力（逆潮流電力）のピークを抑えることができ、電力系統７の安定化に寄与することができる。
【００７１】
次に、時刻ｔ１３に、発電電力Ｘ２が需要電力Ｘ１に等しくなるまで低下する。そして、時刻ｔ１３の後において、需要電力Ｘ１から発電電力Ｘ２を減算した残りは不足電力であり、不足電力は、蓄電池４１の放電電力と商用電力とで賄われる。しかしながら、図３Ｂに示す等価需要Ｙ１００では、買電電力（負荷６へ供給される商用電力）のピークが大きくなっており、電力系統７が不安定になる可能性がある。
【００７２】
そこで、本実施の形態では、図４Ａに示す蓄電池制御を行う。
【００７３】
時刻ｔ１３の後、不足電力は、蓄電池４１の放電電力と商用電力とで賄われる。レート決定部１４は、不足電力の全てを商用電力で賄った場合に、負荷６へ供給される商用電力（図４Ｂ中のＹ２００）が上限目標値Ｋ２を上回る期間を含む期間を放電期間Ｔ２１として設定する。つまり、この放電期間Ｔ２１は、蓄電池４１の放電電力を負荷６へ供給しなかった場合に負荷６へ供給される商用電力が上限目標値Ｋ２を上回る期間を含む。
【００７４】
すなわち、放電期間Ｔ２１は、蓄電池４１の放電電力を負荷６へ供給しなかった場合に負荷６へ供給される商用電力がピークである時刻を含む。なお、放電期間Ｔ２１は、不足電力の全てを商用電力で賄った場合に、つまり、蓄電池４１の放電電力を負荷６へ供給しなかった場合に、負荷６へ供給される商用電力が上限目標値Ｋ２を上回る期間でもよい。
【００７５】
この上限目標値Ｋ２は、電力系統７が不安定にならないように決められている指標であり、買電電力のピークが大きくなりすぎることを抑制するための目安を示す。例えば、上限目標値Ｋ２は、電力会社またはアグリゲータなどから送信されたＤＲ信号によって、随時指示される値である。あるいは、上限目標値Ｋ２は、電力会社またはアグリゲータなどによって予め決められた一定値であってもよい。
【００７６】
蓄電状況予測部１３は、放電期間Ｔ２１の開始時刻（時刻ｔ１５）における充電状態に基づく放電可能量を予測する。具体的には、蓄電状況予測部１３は、蓄電池４１の残容量、蓄電池４１の最大電池容量、需要電力Ｘ１の予測結果、および、発電電力Ｘ２の予測結果などに基づいて、放電期間Ｔ２１の開始時刻（時刻ｔ１５）における充電状態に依存する放電可能量を予測する。また、蓄電状況予測部１３で予測される放電可能量に、上述の充電期間Ｔ１１における充電予定電力量が反映されてもよい。
【００７７】
例えば、レート決定部１４は、放電期間Ｔ２１において蓄電池４１の放電電力が平均化されるように、放電期間Ｔ２１における目標放電レートを決定することで、買電電力（負荷６へ供給される商用電力）のピークを抑制する。
【００７８】
具体的には、レート決定部１４は、放電期間Ｔ２１の開始時刻（時刻ｔ１５）における充電状態に基づく放電可能量を放電期間Ｔ２１の時間長で除することで、放電期間Ｔ２１における目標放電レートを導出する。
【００７９】
そして、レート決定部１４は、現在時刻が放電期間Ｔ２１の開始時刻（時刻ｔ１５）に達すると、導出した目標放電レートのデータをパワーコンディショナ４２へ通信部１７を介して送信する。具体的には、レート決定部１４は、放電期間Ｔ２１の開始時刻（時刻ｔ１５）から放電期間Ｔ２１の終了時刻（時刻ｔ１６）まで、導出した目標放電レートのデータをパワーコンディショナ４２へ通信部１７を介して定期的に送信する。
【００８０】
すなわち、レート決定部１４は、時刻ｔ１５から時刻ｔ１６までの間、パワーコンディショナ４２に対して目標放電レートを指示する。パワーコンディショナ４２は、レート決定部１４から指示された目標放電レートで蓄電池４１を放電させる。
【００８１】
そして、放電期間Ｔ２１の全期間において、不足電力は、蓄電池４１により放電される放電電力（図４Ａ中の領域Ａ５）と、商用電力（図４Ａ中の領域Ａ６）とで賄われる。そして、放電期間Ｔ２１の全期間に亘って、レート決定部１４が決定した目標放電レートに従って放電が行われる。したがって、買電電力は放電期間Ｔ２１の全期間に亘って抑制される。
【００８２】
そして、図４Ｂに示すように、等価需要Ｙ１は、買電電力（負荷６へ供給される商用電力）のピークが等価需要Ｙ１００よりも小さくなり、買電電力のピークが抑制される。特に、図４Ｂでは、買電電力のピークが、上限目標値Ｋ２以下に抑制されている。
【００８３】
上述のように本実施の形態における蓄電池制御装置１は、不足電力を商用電力で賄う場合に、買電電力（負荷６へ供給される商用電力）のピークを抑えることができ、電力系統７の安定化に寄与することができる。
【００８４】
また、ユーザが電力会社またはアグリゲータと契約する電気料金プランには、買電電力のピーク値によって基本料金が変動するプランがある。一般に、買電電力のピーク値が高いほど、基本料金も高くなる。この場合、買電電力のピークが抑えられることによって、ユーザは、安い電力料金プランで契約することができ、電気料金が安くなって、経済的に有利になる。
【００８５】
上述の蓄電池制御装置１は、電力系統７（商用電源８）と分散電源（太陽光発電装置３など）と蓄電装置４とのそれぞれから負荷６へ電力を供給する給電動作を行う配電システムに用いられる。この配電システムは、分散電源の発電電力で蓄電装置４が備える蓄電池４１を充電させる充電動作、および、分散電源の発電電力のうち蓄電池４１で充電されず負荷６で消費されない電力を電力系統７に逆潮流させる逆潮流動作を行う。
【００８６】
そして、蓄電池制御装置１は、需要予測部１１と、発電予測部１２と、レート決定部１４とを備える。需要予測部１１は、負荷６で消費される需要電力の時間推移であり所定期間（例えば１日）における時間推移である需要推移を予測する。発電予測部１２は、分散電源の発電電力の時間推移であり所定期間における時間推移である発電推移を予測する。レート決定部１４は、目標充電レートに蓄電池４１の充電レートを一致または近づける（一致させる、または、近づける）ための目標充電レートを決定する。
【００８７】
また、レート決定部１４は、需要予測部１１で予測された需要推移と、発電予測部１２で予測された発電推移とに基づいて、所定期間のうち、発電電力から需要電力を除いた余剰電力がピークである時刻を含む期間を充電動作が行われる充電期間Ｔ１１として設定する。
【００８８】
そして、レート決定部１４は、充電期間Ｔ１１に蓄電池４１によって充電される電力量として予定される充電予定電力量と、充電期間Ｔ１１の時間長とに基づいて、目標充電レートを決定する。具体的には、レート決定部１４は、充電期間Ｔ１１に亘って蓄電池４１を充電させるための充電レートを充電期間Ｔ１１における目標充電レートとして決定する。
【００８９】
これにより、蓄電池制御装置１は、蓄電池４１に対して充電の制御を適切な期間に亘って行うことができる。具体的には、蓄電池制御装置１は、余剰電力がピークである時刻を含む充電期間Ｔ１１において蓄電池４１を充電させることで、逆潮流電力のピークを抑制することができる。すなわち、蓄電池制御装置１は、分散電源の余剰電力を売電する場合に、売電電力（逆潮流電力）のピークを抑えることができ、電力系統７の安定化に寄与することができる。
【００９０】
また、蓄電池制御装置１は、さらに、充電期間Ｔ１１に蓄電池４１により充電可能な電力量であり充電期間Ｔ１１の開始タイミングにおける蓄電池４１の充電状態に依存する電力量である充電可能量を予測する蓄電状況予測部１３を備えてもよい。そして、レート決定部１４は、充電可能量を充電予定電力量として設定してもよい。
【００９１】
これにより、充電可能量に基づいて目標充電レートが決定される。したがって、蓄電池制御装置１は、充電可能量に基づいて、充電期間Ｔ１１の終了タイミングまで充電を適切に継続することができる。
【００９２】
また、レート決定部１４は、目標充電レートを充電期間Ｔ１１に亘って一定値に決定してもよい。
【００９３】
これにより、充電期間Ｔ１１に亘って目標充電レートが一定値に設定される。したがって、充電制御が簡易になる。
【００９４】
また、レート決定部１４は、充電予定電力量を充電期間Ｔ１１の時間長で除することで、目標充電レートを決定してもよい。
【００９５】
これにより、蓄電池制御装置１は、余剰電力がピークである時刻を含む充電期間Ｔ１１において蓄電池４１により充電される電力を平均化することができる。
【００９６】
また、レート決定部１４は、発電電力が需要電力を上回る電力余剰期間Ｔ１を充電期間Ｔ１１として設定してもよい。
【００９７】
これにより、電力余剰期間Ｔ１の全期間に亘って、レート決定部１４が決定した目標充電レートに従って充電が行われるので、逆潮流電力は電力余剰期間Ｔ１の全期間に亘って抑制される。
【００９８】
上述の蓄電池制御装置１は、蓄電装置４が備える蓄電池４１を放電させる放電動作と、電力系統７（商用電源８）と蓄電装置４とのそれぞれから負荷６へ電力を供給する給電動作とを行う配電システムに用いられる。そして、蓄電池制御装置１は、需要予測部１１と、蓄電状況予測部１３と、レート決定部１４とを備える。
【００９９】
需要予測部１１は、負荷６で消費される需要電力の時間推移であり所定期間（例えば１日）における時間推移である需要推移を予測する。蓄電状況予測部１３は、放電動作が行われる放電期間Ｔ２１に蓄電池４１により放電可能な電力量であり放電期間Ｔ２１の開始タイミングにおける蓄電池４１の充電状態に依存する電力量である放電可能量を予測する。レート決定部１４は、目標放電レートに蓄電池４１の放電レートを一致または近づける（一致させる、または、近づける）ための目標放電レートを決定する。
【０１００】
また、レート決定部１４は、需要予測部１１で予測された需要推移に基づいて、放電期間Ｔ２１を設定する。具体的には、レート決定部１４は、所定期間のうち、蓄電装置４から負荷６へ電力が供給されないと仮定された場合に電力系統７から負荷６へ供給される電力がピークである時刻を含む期間を放電期間Ｔ２１として設定する。
【０１０１】
そして、レート決定部１４は、放電期間Ｔ２１に対して蓄電状況予測部１３で予測される放電可能量と、放電期間Ｔ２１の時間長とに基づいて、目標放電レートを決定する。具体的には、レート決定部１４は、放電期間Ｔ２１に亘って蓄電池４１を放電させるための放電レートを放電期間Ｔ２１における目標放電レートとして決定する。
【０１０２】
これにより、蓄電池制御装置１は、蓄電池４１に対して放電の制御を適切な期間に亘って行うことができる。具体的には、蓄電池制御装置１は、放電が行われない場合において負荷６へ供給される商用電力がピークである時刻を含む放電期間Ｔ２１に亘って、蓄電池４１を放電させることができる。すなわち、蓄電池制御装置１は、買電電力のピークを抑えることができ、電力系統７の安定化に寄与することができる。
【０１０３】
また、レート決定部１４は、目標放電レートを放電期間Ｔ２１に亘って一定値に決定してもよい。
【０１０４】
これにより、放電期間Ｔ２１に亘って目標放電レートが一定値に設定される。したがって、放電制御が簡易になる。
【０１０５】
また、レート決定部１４は、放電可能量を放電期間Ｔ２１の時間長で除することで、目標放電レートを決定してもよい。
【０１０６】
これにより、蓄電池制御装置１は、放電が行われない場合において負荷６へ供給される商用電力がピークである時刻を含む放電期間Ｔ２１において蓄電池４１により放電される電力を平均化することができる。
【０１０７】
また、給電動作では、さらに、分散電源（太陽光発電装置３など）から負荷６へ電力を供給してもよい。そして、蓄電池制御装置１は、さらに、分散電源の発電電力の時間推移であり所定期間における時間推移である発電推移を予測する発電予測部１２を備えてもよい。レート決定部１４は、需要予測部１１で予測された需要推移と、発電予測部１２で予測された発電推移とに基づいて、発電電力が需要電力を下回る電力不足期間内に放電期間Ｔ２１を設定してもよい。
【０１０８】
これにより、発電電力が不足している電力不足期間内において、放電が行われない場合に負荷６へ供給される商用電力がピークである時刻を含む放電期間Ｔ２１が設定される。したがって、蓄電池制御装置１は、商用電力のピークを放電電力によって適切に抑制することができる。
【０１０９】
また、レート決定部１４は、蓄電装置４から負荷６へ電力が供給されないと仮定された場合に電力系統７から負荷６へ供給される電力が上限目標値Ｋ２を上回る期間を放電期間Ｔ２１として設定してもよい。
【０１１０】
これにより、蓄電池制御装置１は、負荷６へ供給される商用電力を低減させて、負荷６へ供給される商用電力のピークを上限目標値Ｋ２に近づける、または、負荷６へ供給される商用電力のピークを上限目標値Ｋ２以下に抑えることができる。
【０１１１】
また、上述の配電システムにおける分散電源は、太陽光によって発電する太陽光発電装置３でもよい。
【０１１２】
この場合、蓄電池制御装置１は、太陽光発電装置３の余剰電力を用いて蓄電池４１を充電させ、太陽光発電装置３が発電しない夜間に蓄電池４１を放電させることで、逆潮流電力のピーク、および、負荷６へ供給される商用電力のピークを抑制することができる。
【０１１３】
また、レート決定部１４は、図５に示すように電力余剰期間Ｔ１内において充電期間Ｔ１２を決定してもよい。具体的には、レート決定部１４は、余剰電力の全量を電力系統７に逆潮流させた場合に逆潮流する電力Ｙ３００（売電電力）が上限目標値Ｋ１を上回る期間を充電期間Ｔ１２として設定する。この場合も、充電期間Ｔ１２は、余剰電力の全量を電力系統７に逆潮流させた場合に逆潮流する電力Ｙ３００がピークである時刻を含む。
【０１１４】
レート決定部１４は、充電期間Ｔ１２の開始時刻における充電状態に基づく充電可能量を充電期間Ｔ１２の時間長で除することで、充電期間Ｔ１２における目標充電レートを導出する。レート決定部１４で導出された目標充電レートは、充電期間Ｔ１２の全期間において一定である。
【０１１５】
そして、売電電力が上限目標値Ｋ１を上回る期間である充電期間Ｔ１２の全期間に亘って、同様にレート決定部１４で決定された目標充電レートに従って、充電が行われる。したがって、逆潮流電力は充電期間Ｔ１２の全期間に亘って抑制される。この場合、充電期間Ｔ１２では余剰電力が十分に大きいので、充電期間Ｔ１２の全期間に亘って指示された一定の目標充電レートでの充電が可能である。
【０１１６】
したがって、蓄電池制御装置１は、分散電源の余剰電力を売電する場合に、売電電力（逆潮流電力）のピークを上限目標値Ｋ１に近づく方向に低減させることができる。すなわち、蓄電池制御装置１は、売電電力のピークを上限目標値Ｋ１に近づける、または、売電電力のピークを上限目標値Ｋ１以下に抑えることができる。
【０１１７】
つまり、レート決定部１４は、余剰電力を電力系統７に逆潮流させた場合に逆潮流する電力が上限目標値Ｋ１を上回る期間を充電期間Ｔ１２として設定してもよい。
【０１１８】
（実施の形態２）
図６は、本実施の形態の配電システムの全体構成を示す。本実施の形態の蓄電池４１は、充電可能量が十分に確保されている状態であると仮定する。充電可能量が十分に確保されている状態は、蓄電池４１の残容量が少ないため、または、蓄電池４１の定格容量が大きいため、充電可能な電力量が大きい状態である。
【０１１９】
本実施の形態の蓄電池制御装置１Ａは、実施の形態１の蓄電池制御装置１と比較して、蓄電状況予測部１３を備えていない。そして、蓄電池制御装置１Ａのレート決定部１４は、余剰電力を充電期間に亘って積算した余剰電力量を充電予定電力量として用いることが、実施の形態１とは異なる。つまり、本実施の形態において、充電予定電力量は、余剰電力を充電期間に亘って積算した余剰電力量である。なお、実施の形態１と同様の構成には同一の符号を付して、説明は省略する。
【０１２０】
レート決定部１４は、図７に示すように、余剰電力Ｙ４００が発生する電力余剰期間Ｔ１を充電期間Ｔ１３とする。そして、レート決定部１４は、充電期間Ｔ１３の全期間における余剰電力Ｙ４００の積算値である余剰電力量（図７中の領域Ａ１１）を充電予定電力量として用いる。つまり、レート決定部１４は、余剰電力量を充電期間Ｔ１３の時間長で除することで、充電期間Ｔ１３における目標充電レートを導出する。レート決定部１４によって導出される目標充電レートは、充電期間Ｔ１３の全期間において一定である。
【０１２１】
そして、レート決定部１４は、パワーコンディショナ４２に対して、充電期間Ｔ１３の目標充電レートを指示する。パワーコンディショナ４２は、レート決定部１４から指示された目標充電レートに基づいて蓄電池４１を充電させる。ただし、充電期間Ｔ１３が始まった後の所定期間、および、充電期間Ｔ１３が終了する前の所定期間は、余剰電力Ｙ４００が小さいため、蓄電池４１を充電させる充電レートは、指示された目標充電レートよりも実質的に低くなる。
【０１２２】
また、余剰電力Ｙ４００が十分に大きい期間では、指示された一定の目標充電レートでの充電が可能である。また、特に、余剰電力Ｙ４００のピーク付近では、余剰電力Ｙ４００が目標充電レートに比べて大きい。したがって、余剰電力Ｙ４００の一部は、充電されることなく、逆潮流電力として用いられる。
【０１２３】
すなわち、レート決定部１４は、余剰電力を充電期間Ｔ１３に亘って積算した余剰電力量を充電予定電力量として設定してもよい。
【０１２４】
これにより、充電レートは、余剰電力量に基づいて設定される。したがって、蓄電池制御装置１Ａは、余剰電力量に基づいて、充電期間Ｔ１３の終了タイミングまで充電を適切に継続することができる。
【０１２５】
また、レート決定部１４は、目標充電レートを充電期間Ｔ１３に亘って一定値に決定してもよい。
【０１２６】
これにより、充電期間Ｔ１３に亘って目標充電レートが一定値に設定される。したがって、充電制御が簡易になる。
【０１２７】
また、レート決定部１４は、充電予定電力量を充電期間Ｔ１３の時間長で除することで、目標充電レートを決定してもよい。
【０１２８】
これにより、蓄電池制御装置１Ａは、余剰電力がピークである時刻を含む充電期間Ｔ１３において蓄電池４１により充電される電力を平均化することができる。
【０１２９】
また、レート決定部１４は、発電電力が需要電力を上回る電力余剰期間Ｔ１を充電期間Ｔ１３として設定してもよい。
【０１３０】
これにより、電力余剰期間Ｔ１の全期間に亘って、レート決定部１４が決定した目標充電レートに従って充電が行われるので、逆潮流電力は電力余剰期間Ｔ１の全期間に亘って抑制される。
【０１３１】
また、レート決定部１４は、図８に示すように、電力余剰期間Ｔ１内において充電期間Ｔ１４を決定してもよい。具体的には、レート決定部１４は、余剰電力Ｙ４００が閾値Ｋ１１を上回る期間を充電期間Ｔ１４として設定する。この場合も、充電期間Ｔ１４は、余剰電力Ｙ４００の全量を電力系統７に逆潮流させた場合に逆潮流する電力がピークである時刻を含む。
【０１３２】
そして、レート決定部１４は、充電期間Ｔ１４における余剰電力Ｙ４００の積算値である余剰電力量（図８中の領域Ａ１２）を充電予定電力量として用いて、余剰電力量を充電期間Ｔ１４の時間長で除することで、充電期間Ｔ１４における目標充電レートを導出する。レート決定部１４で導出された目標充電レートは、充電期間Ｔ１４の全期間において一定である。
【０１３３】
そして、余剰電力Ｙ４００が閾値Ｋ１１を上回る期間である充電期間Ｔ１４の全期間に亘って、レート決定部１４で決定された目標充電レートに従って、充電が行われる。したがって、逆潮流電力は充電期間Ｔ１４の全期間に亘って抑制される。この場合、充電期間Ｔ１４では余剰電力Ｙ４００が十分に大きいので、充電期間Ｔ１４の全期間に亘って指示された一定の目標充電レートでの充電が可能である。
【０１３４】
すなわち、レート決定部１４は、発電電力が需要電力を上回る電力余剰期間Ｔ１のうち、余剰電力が閾値Ｋ１１を上回る期間を充電期間Ｔ１４として設定してもよい。
【０１３５】
なお、一般に、蓄電池４１およびパワーコンディショナ４２の仕様および性能などによって、蓄電池４１に充電可能な最大充電レート、および、蓄電池４１から放電可能な最大放電レートが決まっている。
【０１３６】
そこで、上述の実施の形態１、２において、レート決定部１４で導出された目標充電レートが最大充電レートを上回る場合、レート決定部１４は、最大充電レートをパワーコンディショナ４２に指示する最終的な目標充電レートとして決定してもよい。また、上述の実施の形態１、２において、レート決定部１４で導出された目標放電レートが最大放電レートを上回る場合、レート決定部１４は、最大放電レートをパワーコンディショナ４２に指示する最終的な目標放電レートとして決定してもよい。
【０１３７】
さらに、蓄電池４１およびパワーコンディショナ４２の仕様および性能などによって、蓄電池４１に充電可能な最小充電レート、および、蓄電池４１から放電可能な最小放電レートが決まっている場合がある。
【０１３８】
この場合、上述の実施の形態１、２において、レート決定部１４で導出された目標充電レートが最小充電レートを下回る場合、レート決定部１４は、最小充電レートをパワーコンディショナ４２に指示する最終的な目標充電レートとして決定してもよい。また、上述の実施の形態１、２において、レート決定部１４で導出された目標放電レートが最小放電レートを下回る場合、レート決定部１４は、最小放電レートをパワーコンディショナ４２に指示する最終的な目標放電レートとして決定してもよい。
【０１３９】
また、蓄電池制御装置１、１Ａは、コンピュータを搭載してもよい。そして、コンピュータがプログラムを実行することによって、上述の蓄電池制御装置１、１Ａの各部（特に、需要予測部１１、発電予測部１２、蓄電状況予測部１３およびレート決定部１４）の機能が実現されてもよい。例えば、このコンピュータは、プログラムを実行するプロセッサを備えたデバイスと、他の装置との間でデータを授受するためのインターフェイス用のデバイスと、データを記憶するための記憶用のデバイスとを主な構成要素として備える。
【０１４０】
プロセッサを備えたデバイスは、半導体メモリと別体であるＣＰＵ（Central Processing Unit）またはＭＰＵ（Micro Processing Unit）でもよいし、半導体メモリを一体に備えるマイコンでもよい。記憶用のデバイスは、半導体メモリのようにアクセス時間が短い記憶装置と、ハードディスク装置のような大容量の記憶装置とが併用されてもよい。
【０１４１】
プログラムの提供形態として、コンピュータに読み取り可能なＲＯＭ（Read Only Memory）、光ディスク等の記録媒体に予め格納されている形態、および、インターネット等を含む広域通信網を介して記録媒体に供給される形態等がある。
【０１４２】
例えば、プログラムは、コンピュータを、蓄電池制御装置１または１Ａとして機能させる。
【０１４３】
コンピュータを蓄電池制御装置１または１Ａとして機能させるプログラムも、上記と同様の効果を奏し得る。すなわち、このプログラムは、蓄電池４１に対して充電または放電などの制御を適切な期間に亘って行うことができる。
【０１４４】
なお、上述の実施の形態は本発明の一例である。このため、本発明は、上述の実施の形態に限定されることはなく、この実施の形態以外であっても、本発明に係る技術的思想を逸脱しない範囲であれば、設計等に応じて種々の変更が可能であることは勿論である。
【符号の説明】
【０１４５】
１、１Ａ  蓄電池制御装置
３  太陽光発電装置（分散電源）
４  蓄電装置
６  負荷
７  電力系統
１１  需要予測部
１２  発電予測部
１３  蓄電状況予測部
１４  レート決定部
４１  蓄電池
【図１】
2016185671.tif 000003
【図２】
2016185671.tif 000004
【図３Ａ】
2016185671.tif 000005
【図３Ｂ】
2016185671.tif 000006
【図４Ａ】
2016185671.tif 000007
【図４Ｂ】
2016185671.tif 000008
【図５】
2016185671.tif 000009
【図６】
2016185671.tif 000010
【図７】
2016185671.tif 000011
【図８】
2016185671.tif 000012
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
電力系統と分散電源と蓄電装置とのそれぞれから負荷へ電力を供給する給電動作、前記分散電源の発電電力で前記蓄電装置が備える蓄電池を充電させる充電動作、および、前記分散電源の発電電力のうち前記蓄電池で充電されず前記負荷で消費されない電力を前記電力系統に逆潮流させる逆潮流動作を行う配電システムに用いられる蓄電池制御装置であって、
前記負荷で消費される需要電力の時間推移であり所定期間における時間推移である需要推移を予測する需要予測部と、
前記分散電源の発電電力の時間推移であり前記所定期間における時間推移である発電推移を予測する発電予測部と、
前記蓄電池の残容量、前記蓄電池の最大電池容量、前記需要予測部で予測された前記需要推移、および、前記発電予測部で予測された前記発電推移に基づいて、前記充電動作が行われる充電期間に前記蓄電池により充電可能な電力量であり前記充電期間の開始タイミングにおける前記蓄電池の充電状態に依存する電力量である充電可能量を予測する蓄電状況予測部と、
目標充電レートに前記蓄電池の充電レートを一致または近づけるための前記目標充電レートを決定するレート決定部とを備え、
前記レート決定部は、
前記需要予測部で予測された前記需要推移と、前記発電予測部で予測された前記発電推移とに基づいて、前記所定期間のうち、前記発電電力から前記需要電力を除いた余剰電力がピークである時刻を含む期間を前記充電期間として設定し、
前記充電期間に対して前記蓄電状況予測部によって予測される前記充電可能量と、前記充電期間の時間長とに基づいて、前記充電期間に亘って前記蓄電池を充電させるための充電レートを前記充電期間における前記目標充電レートとして決定する
蓄電池制御装置。
【請求項２】
（削除）
【請求項３】
（削除）
【請求項４】
前記レート決定部は、前記目標充電レートを前記充電期間に亘って一定値に決定する
請求項１に記載の蓄電池制御装置。
【請求項５】
前記レート決定部は、前記充電可能量を前記充電期間の時間長で除することで、前記目標充電レートを決定する
請求項４に記載の蓄電池制御装置。
【請求項６】
前記レート決定部は、前記発電電力が前記需要電力を上回る電力余剰期間を前記充電期間として設定する
請求項１、４または５に記載の蓄電池制御装置。
【請求項７】
前記レート決定部は、前記発電電力が前記需要電力を上回る電力余剰期間のうち、前記余剰電力が閾値を上回る期間を前記充電期間として設定する
請求項１、４、５または６に記載の蓄電池制御装置。
【請求項８】
前記レート決定部は、前記余剰電力を前記電力系統に逆潮流させた場合に逆潮流する電力が上限目標値を上回る期間を前記充電期間として設定する
請求項７に記載の蓄電池制御装置。
【請求項９】
蓄電装置が備える蓄電池を放電させる放電動作、および、電力系統と前記蓄電装置とのそれぞれから負荷へ電力を供給する給電動作を行う配電システムに用いられる蓄電池制御装置であって、
前記負荷で消費される需要電力の時間推移であり所定期間における時間推移である需要推移を予測する需要予測部と、
前記蓄電池の残容量、および、前記需要予測部で予測された前記需要推移に基づいて、前記放電動作が行われる放電期間に前記蓄電池により放電可能な電力量であり前記放電期間の開始タイミングにおける前記蓄電池の充電状態に依存する電力量である放電可能量を予測する蓄電状況予測部と、
目標放電レートに前記蓄電池の放電レートを一致または近づけるための前記目標放電レートを決定するレート決定部とを備え、
前記レート決定部は、
前記需要予測部で予測された前記需要推移に基づいて、前記所定期間のうち、前記蓄電装置から前記負荷へ電力が供給されないと仮定された場合に前記電力系統から前記負荷へ供給される電力がピークである時刻を含む期間を前記放電期間として設定し、
前記放電期間に対して前記蓄電状況予測部で予測される前記放電可能量と、前記放電期間の時間長とに基づいて、前記放電期間に亘って前記蓄電池を放電させるための放電レートを前記放電期間における前記目標放電レートとして決定する
蓄電池制御装置。
【請求項１０】
前記レート決定部は、前記目標放電レートを前記放電期間に亘って一定値に決定する
請求項９に記載の蓄電池制御装置。
【請求項１１】
前記レート決定部は、前記放電可能量を前記放電期間の時間長で除することで、前記目標放電レートを決定する
請求項１０に記載の蓄電池制御装置。
【請求項１２】
前記給電動作では、さらに、分散電源から前記負荷へ電力を供給し、
前記蓄電池制御装置は、さらに、前記分散電源の発電電力の時間推移であり前記所定期間における時間推移である発電推移を予測する発電予測部を備え、
前記レート決定部は、前記需要予測部で予測された前記需要推移と、前記発電予測部で予測された前記発電推移とに基づいて、前記発電電力が前記需要電力を下回る電力不足期間内に前記放電期間を設定する
請求項９〜１１のいずれか１項に記載の蓄電池制御装置。
【請求項１３】
前記レート決定部は、前記蓄電装置から前記負荷へ電力が供給されないと仮定された場合に前記電力系統から前記負荷へ供給される電力が上限目標値を上回る期間を前記放電期間として設定する
請求項９〜１２のいずれか１項に記載の蓄電池制御装置。
【請求項１４】
コンピュータを、請求項１および４〜１３のいずれか１項に記載の蓄電池制御装置として機能させる
プログラム。
【国際調査報告】
2016185671.tif 000013
2016185671.tif 000014
2016185671.tif 000015
2016185671.tif 000016